(57)【要約】【課題】望遠端の半画角が５°程度以下と狭く、Ｆナンバーが２．８から４．０程度と明るく、ズーム全域で高い光学性能を有し、防振機能を有し、防振レンズ群及びフォーカスレンズ群の重量を抑制した変倍結像光学系を提供する。【解決手段】本発明に係る変倍結像光学系は、物体側から像側へ順に、正の屈折力の第１レンズ群、負の屈折力の第２レンズ群、正の屈折力の第３レンズ群、正の屈折力の第４レンズ群、負の屈折力の第５レンズ群、第６レンズ群を少なくとも備え、変倍時に、隣り合うレンズ群の間隔が変化し、無限遠物体から近距離物体へのフォーカシングに際して、前記第５レンズ群が光軸に沿って像面側に移動し、前記第２レンズ群は物体側から像側へ順に、第２ａレンズ群と負の屈折力の第２ｂレンズ群を少なくとも備え、第２ｂレンズ群を光軸に対して垂直方向に変位させることによって防振を行い、所定の条件式を満足することを特徴とする。【選択図】図１
2019032353.tif 000002
【特許請求の範囲】
【請求項１】
物体側から像側へ順に、正の屈折力の第１レンズ群、負の屈折力の第２レンズ群、正の屈折力の第３レンズ群、正の屈折力の第４レンズ群、負の屈折力の第５レンズ群、第６レンズ群を少なくとも備え、
変倍時に、隣り合うレンズ群の間隔が変化し、
無限遠物体から近距離物体へのフォーカシングに際して、前記第５レンズ群が光軸に沿って像面側に移動し、
前記第２レンズ群は物体側から像側へ順に、第２ａレンズ群と負の屈折力の第２ｂレンズ群を少なくとも備え、第２ｂレンズ群を光軸に対して垂直方向に変位させることによって防振を行い、
以下に示す条件式を満足することを特徴とする変倍結像光学系：
（１）０．５２＜ｆ１／ｆｔ＜１．００
但し、
ｆ１：第１レンズ群の焦点距離
ｆｔ：望遠端における無限遠合焦時の光学系全系の焦点距離
である。
【請求項２】
前記第２レンズ群は、変倍時に像面に対して固定され、
以下に示す条件式を満足することを特徴とする請求項１に記載の変倍結像光学系：
（２）０．５０＜ｈＦｎｏ２ｂＴ／ｈＦｎｏ２ａＴ＜０．８５
（３）０．８０＜ｆ２ｂ／ｆ２＜２．５０
但し、
ｈＦｎｏ２ｂＴ：望遠端における無限遠合焦時の第２ｂレンズ群の最も物体側のレンズ面におけるＦナンバー光線の光線高
ｈＦｎｏ２ａＴ：望遠端における無限遠合焦時の第２ａレンズ群の最も物体側のレンズ面におけるＦナンバー光線の光線高
ｆ２ｂ：第２ｂレンズ群の焦点距離
ｆ２：第２レンズ群の焦点距離
である。
【請求項３】
前記第２ｂレンズ群は、１枚の正レンズと２枚の負レンズから構成され、
以下に示す条件式を満足することを特徴とする請求項１又は２に記載の変倍結像光学系：
（４）ｓｇ２ｂｐ２／（（ｎｄ２ｂｐ−１）×（νｄ２ｂｎ−νｄ２ｂｐ））＜０．４４
（５）ｓｇ２ｂｎ２／（（ｎｄ２ｂｎ−１）×（νｄ２ｂｎ−νｄ２ｂｐ））＜０．７０
但し、
ｓｇ２ｂｐ：第２ｂレンズ群に含まれる正レンズの比重
ｓｇ２ｂｎ：第２ｂレンズ群に含まれる負レンズの比重の平均値
ｎｄ２ｂｐ：第２ｂレンズ群に含まれる正レンズのｄ線に対する屈折率
ｎｄ２ｂｎ：第２ｂレンズ群に含まれる負レンズのｄ線に対する屈折率の平均値
νｄ２ｂｐ：第２ｂレンズ群に含まれる正レンズのｄ線に対するアッベ数
νｄ２ｂｎ：第２ｂレンズ群に含まれる負レンズのｄ線に対するアッベ数の平均値
である。
【請求項４】
前記第２レンズ群は、物体側から像側へ順に、第２ａレンズ群と負の屈折力の第２ｂレンズ群と第２ｃレンズ群から構成され、前記第２ｂレンズ群を光軸に対して垂直方向に変位させることによって防振を行い、
以下に示す条件式を満足することを特徴とする請求項１乃至３のいずれかに記載の変倍結像光学系：
（６）１．４０＜｜（１−β２ｂＴ）×βｂ２ｂＴ｜＜２．９０
但し、
β２ｂＴ：望遠端における無限遠合焦時の第２ｂレンズ群の横倍率
βｂ２ｂＴ：望遠端における無限遠合焦時の第２ｂレンズ群より像側に位置するレンズ系の横倍率
である。
【請求項５】
前記第３レンズ群は、物体側から像側へ順に正レンズ、負レンズ、正レンズ、とからなる３枚接合レンズを有することを特徴とする請求項１乃至４のいずれかに記載の変倍結像光学系。
【請求項６】
前記第５レンズ群は、１枚の負レンズから構成されることを特徴とする請求項１乃至５のいずれかに記載の変倍結像光学系。
【発明の詳細な説明】
【技術分野】
【０００１】
本発明は、デジタルカメラ、ビデオカメラ等の撮像装置に用いられる防振機能を有する変倍結像光学系に関する。
【背景技術】
【０００２】
従来、望遠端の半画角が５°以下である変倍結像光学系が特許文献１乃至３に開示されている。
【先行技術文献】
【特許文献】
【０００３】
【特許文献１】特開２０１３−２３５２１８号公報
【特許文献２】特開２０１５−１９１００８号公報
【特許文献３】特開２０１６−０８０８２５号公報
【発明の概要】
【発明が解決しようとする課題】
【０００４】
近年、デジタルスチルカメラ等の撮像装置に用いられる変倍結像光学系においては、ズーム全域で高い光学性能を有すること、小型軽量であることが要求されている。また、合焦した物体距離の前後におけるボケ量が大きくなることでボケを活かした画像表現の幅が広がること、露光時間の短縮により手ぶれや被写体ぶれを抑制しやすくなること等の理由により、Ｆナンバーが明るく大口径であることが要求されている。
【０００５】
また、特に望遠端の画角が狭い変倍結像光学系においては、手ぶれなどの振動の影響による撮影画像のぶれが発生しやすいため、光学系の一部のレンズ群（防振レンズ群）を光軸に対して垂直方向に変位させることにより撮影画像のぶれを補正する防振機能を有することが要求されている。さらに、変倍結像光学系において防振機能を有する場合には、防振レンズ群を駆動するためのアクチュエータの大型化を避けるため、防振レンズ群は径が小さく、重量が軽いことが要求されている。
【０００６】
ところで、近年では、デジタルスチルカメラを用いた動画撮影が一般的になっている。動画撮影において、被写体に対する合焦状態を維持するために、フォーカスレンズ群を光軸方向に常に微小振動（ウォブリング）させ続けることによりコントラストの変化を常時検出してフォーカスレンズ群の移動方向を決定する方法が多く採用されている。ウォブリングによりフォーカスレンズ群を駆動する場合、フォーカスレンズ群の重量が大きいとフォーカスレンズ群を駆動するためのアクチュエータが大型化し、撮影レンズの小型化・軽量化が困難となってしまう。また、アクチュエータを大型化させずに重量の大きいフォーカスレンズ群を無理にウォブリング駆動させようとすると、アクチュエータから発生する雑音が大きくなり、この雑音が動画撮影において音声として記録されてしまうため問題となる。したがって、動画撮影に適応する変倍結像光学系はフォーカスレンズ群の軽量化が要求されている。
【０００７】
特許文献１に開示された光学系は、広角端から望遠端までＦナンバーが２．８程度と大口径で、フォーカスレンズ群の軽量化も達成しているが、防振機能を有していない。
【０００８】
特許文献２に開示された光学系は、防振機能を有しているが、Ｆナンバーが広角端で４．５程度、望遠端で５．６程度と暗く、また、フォーカスレンズ群の軽量化が不十分という課題がある。
【０００９】
特許文献３に開示された光学系は、防振機能を有しているが、Ｆナンバーが広角端で５．０程度、望遠端で６．３程度と暗いという課題がある。
【００１０】
本発明はこのような課題に鑑みてなされたものであり、望遠端の半画角が５°程度以下と狭く、Ｆナンバーが２．８から４．０程度と明るく、ズーム全域で高い光学性能を有し、防振機能を有し、防振レンズ群及びフォーカスレンズ群の重量を抑制した変倍結像光学系を提供することを目的としている。
【課題を解決するための手段】
【００１１】
上記課題を解決するため、第１の発明は、物体側から像側へ順に、正の屈折力の第１レンズ群、負の屈折力の第２レンズ群、正の屈折力の第３レンズ群、正の屈折力の第４レンズ群、負の屈折力の第５レンズ群、第６レンズ群を少なくとも備え、変倍時に、隣り合うレンズ群の間隔が変化し、無限遠物体から近距離物体へのフォーカシングに際して、前記第５レンズ群が光軸に沿って像面側に移動し、前記第２レンズ群は物体側から像側へ順に、第２ａレンズ群と負の屈折力の第２ｂレンズ群を少なくとも備え、第２ｂレンズ群を光軸に対して垂直方向に変位させることによって防振を行い、以下に示す条件式を満足することを特徴とする変倍結像光学系とした。
（１）０．５２＜ｆ１／ｆｔ＜１．００
但し、
ｆ１：第１レンズ群の焦点距離
ｆｔ：望遠端における無限遠合焦時の光学系全系の焦点距離
【００１２】
また、第２の発明は、前記第２レンズ群は、変倍時に像面に対して固定され、以下に示す条件式を満足することを特徴とする第１の発明の変倍結像光学系とした。
（２）０．５０＜ｈＦｎｏ２ｂＴ／ｈＦｎｏ２ａＴ＜０．８５
（３）０．８０＜ｆ２ｂ／ｆ２＜２．５０
但し、
ｈＦｎｏ２ｂＴ：望遠端における無限遠合焦時の第２ｂレンズ群の最も物体側のレンズ面におけるＦナンバー光線の光線高
ｈＦｎｏ２ａＴ：望遠端における無限遠合焦時の第２ａレンズ群の最も物体側のレンズ面におけるＦナンバー光線の光線高
ｆ２ｂ：第２ｂレンズ群の焦点距離
ｆ２：第２レンズ群の焦点距離
【００１３】
また、第３の発明は、前記第２ｂレンズ群は、１枚の正レンズと２枚の負レンズから構成され、以下に示す条件式を満足することを特徴とする第１又は第２の発明の変倍結像光学系とした。
（４）ｓｇ２ｂｐ２／（（ｎｄ２ｂｐ−１）×（νｄ２ｂｎ−νｄ２ｂｐ））＜０．４４
（５）ｓｇ２ｂｎ２／（（ｎｄ２ｂｎ−１）×（νｄ２ｂｎ−νｄ２ｂｐ））＜０．７０
但し、
ｓｇ２ｂｐ：第２ｂレンズ群に含まれる正レンズの比重
ｓｇ２ｂｎ：第２ｂレンズ群に含まれる負レンズの比重の平均値
ｎｄ２ｂｐ：第２ｂレンズ群に含まれる正レンズのｄ線に対する屈折率
ｎｄ２ｂｎ：第２ｂレンズ群に含まれる負レンズのｄ線に対する屈折率の平均値
νｄ２ｂｐ：第２ｂレンズ群に含まれる正レンズのｄ線に対するアッベ数
νｄ２ｂｎ：第２ｂレンズ群に含まれる負レンズのｄ線に対するアッベ数の平均値
【００１４】
また、第４の発明は、前記第２レンズ群は、物体側から像側へ順に、第２ａレンズ群と負の屈折力の第２ｂレンズ群と第２ｃレンズ群から構成され、前記第２ｂレンズ群を光軸に対して垂直方向に変位させることによって防振を行い、以下に示す条件式を満足することを特徴とする第１乃至第３の発明のいずれかの変倍結像光学系とした。
（６）１．４０＜｜（１−β２ｂＴ）×βｂ２ｂＴ｜＜２．９０
但し、
β２ｂＴ：望遠端における無限遠合焦時の第２ｂレンズ群の横倍率
βｂ２ｂＴ：望遠端における無限遠合焦時の第２ｂレンズ群より像側に位置するレンズ系の横倍率
【００１５】
また、第５の発明は、前記第３レンズ群は、物体側から像側へ順に正レンズ、負レンズ、正レンズ、とからなる３枚接合レンズを有することを特徴とする第１乃至第４の発明のいずれかの変倍結像光学系とした。
【００１６】
また、第６の発明は、前記第５レンズ群は、１枚の負レンズから構成されることを特徴とする第１乃至第５の発明のいずれかの変倍結像光学系とした。
【発明の効果】
【００１７】
本発明によれば、望遠端の半画角が５°程度以下と狭く、Ｆナンバーが２．８から４．０程度と明るく、ズーム全域で高い光学性能を有し、防振機能を有し、防振レンズ群及びフォーカスレンズ群の重量を抑制した変倍結像光学系を提供することが可能となる。
【図面の簡単な説明】
【００１８】
【図１】本発明の変倍結像光学系の実施例１に係るレンズ構成図である。
【図２】実施例１の変倍結像光学系の広角端の無限遠合焦時における縦収差図である。
【図３】実施例１の変倍結像光学系の中間焦点距離の無限遠合焦時における縦収差図である。
【図４】実施例１の変倍結像光学系の望遠端の無限遠合焦時における縦収差図である。
【図５】実施例１の変倍結像光学系の広角端の無限遠合焦時における横収差図である。
【図６】実施例１の変倍結像光学系の中間焦点距離の無限遠合焦時における横収差図である。
【図７】実施例１の変倍結像光学系の望遠端の無限遠合焦時における横収差図である。
【図８】実施例１の変倍結像光学系の広角端の無限遠合焦時におけるぶれ角度０．４°に対する防振時の横収差図である。
【図９】実施例１の変倍結像光学系の中間焦点距離の無限遠合焦時におけるぶれ角度０．４°に対する防振時の横収差図である。
【図１０】実施例１の変倍結像光学系の望遠端の無限遠合焦時におけるぶれ角度０．４°に対する防振時の横収差図である。
【図１１】本発明の変倍結像光学系の実施例２に係るレンズ構成図である。
【図１２】実施例２の変倍結像光学系の広角端の無限遠合焦時における縦収差図である。
【図１３】実施例２の変倍結像光学系の中間焦点距離の無限遠合焦時における縦収差図である。
【図１４】実施例２の変倍結像光学系の望遠端の無限遠合焦時における縦収差図である。
【図１５】実施例２の変倍結像光学系の広角端の無限遠合焦時における横収差図である。
【図１６】実施例２の変倍結像光学系の中間焦点距離の無限遠合焦時における横収差図である。
【図１７】実施例２の変倍結像光学系の望遠端の無限遠合焦時における横収差図である。
【図１８】実施例２の変倍結像光学系の広角端の無限遠合焦時におけるぶれ角度０．４°に対する防振時の横収差図である。
【図１９】実施例２の変倍結像光学系の中間焦点距離の無限遠合焦時におけるぶれ角度０．４°に対する防振時の横収差図である。
【図２０】実施例２の変倍結像光学系の望遠端の無限遠合焦時におけるぶれ角度０．４°に対する防振時の横収差図である。
【図２１】本発明の変倍結像光学系の実施例３に係るレンズ構成図である。
【図２２】実施例３の変倍結像光学系の広角端の無限遠合焦時における縦収差図である。
【図２３】実施例３の変倍結像光学系の中間焦点距離の無限遠合焦時における縦収差図である。
【図２４】実施例３の変倍結像光学系の望遠端の無限遠合焦時における縦収差図である。
【図２５】実施例３の変倍結像光学系の広角端の無限遠合焦時における横収差図である。
【図２６】実施例３の変倍結像光学系の中間焦点距離の無限遠合焦時における横収差図である。
【図２７】実施例３の変倍結像光学系の望遠端の無限遠合焦時における横収差図である。
【図２８】実施例３の変倍結像光学系の広角端の無限遠合焦時におけるぶれ角度０．４°に対する防振時の横収差図である。
【図２９】実施例３の変倍結像光学系の中間焦点距離の無限遠合焦時におけるぶれ角度０．４°に対する防振時の横収差図である。
【図３０】実施例３の変倍結像光学系の望遠端の無限遠合焦時におけるぶれ角度０．４°に対する防振時の横収差図である。
【図３１】本発明の変倍結像光学系の実施例４に係るレンズ構成図である。
【図３２】実施例４の変倍結像光学系の広角端の無限遠合焦時における縦収差図である。
【図３３】実施例４の変倍結像光学系の中間焦点距離の無限遠合焦時における縦収差図である。
【図３４】実施例４の変倍結像光学系の望遠端の無限遠合焦時における縦収差図である。
【図３５】実施例４の変倍結像光学系の広角端の無限遠合焦時における横収差図である。
【図３６】実施例４の変倍結像光学系の中間焦点距離の無限遠合焦時における横収差図である。
【図３７】実施例４の変倍結像光学系の望遠端の無限遠合焦時における横収差図である。
【図３８】実施例４の変倍結像光学系の広角端の無限遠合焦時におけるぶれ角度０．４°に対する防振時の横収差図である。
【図３９】実施例４の変倍結像光学系の中間焦点距離の無限遠合焦時におけるぶれ角度０．４°に対する防振時の横収差図である。
【図４０】実施例４の変倍結像光学系の望遠端の無限遠合焦時におけるぶれ角度０．４°に対する防振時の横収差図である。
【図４１】本発明の変倍結像光学系の実施例５に係るレンズ構成図である。
【図４２】実施例５の変倍結像光学系の広角端の無限遠合焦時における縦収差図である。
【図４３】実施例５の変倍結像光学系の中間焦点距離の無限遠合焦時における縦収差図である。
【図４４】実施例５の変倍結像光学系の望遠端の無限遠合焦時における縦収差図である。
【図４５】実施例５の変倍結像光学系の広角端の無限遠合焦時における横収差図である。
【図４６】実施例５の変倍結像光学系の中間焦点距離の無限遠合焦時における横収差図である。
【図４７】実施例５の変倍結像光学系の望遠端の無限遠合焦時における横収差図である。
【図４８】実施例５の変倍結像光学系の広角端の無限遠合焦時におけるぶれ角度０．４°に対する防振時の横収差図である。
【図４９】実施例５の変倍結像光学系の中間焦点距離の無限遠合焦時におけるぶれ角度０．４°に対する防振時の横収差図である。
【図５０】実施例５の変倍結像光学系の望遠端の無限遠合焦時におけるぶれ角度０．４°に対する防振時の横収差図である。
【図５１】本発明の変倍結像光学系の実施例６に係るレンズ構成図である。
【図５２】実施例６の変倍結像光学系の広角端の無限遠合焦時における縦収差図である。
【図５３】実施例６の変倍結像光学系の中間焦点距離の無限遠合焦時における縦収差図である。
【図５４】実施例６の変倍結像光学系の望遠端の無限遠合焦時における縦収差図である。
【図５５】実施例６の変倍結像光学系の広角端の無限遠合焦時における横収差図である。
【図５６】実施例６の変倍結像光学系の中間焦点距離の無限遠合焦時における横収差図である。
【図５７】実施例６の変倍結像光学系の望遠端の無限遠合焦時における横収差図である。
【図５８】実施例６の変倍結像光学系の広角端の無限遠合焦時におけるぶれ角度０．４°に対する防振時の横収差図である。
【図５９】実施例６の変倍結像光学系の中間焦点距離の無限遠合焦時におけるぶれ角度０．４°に対する防振時の横収差図である。
【図６０】実施例６の変倍結像光学系の望遠端の無限遠合焦時におけるぶれ角度０．４°に対する防振時の横収差図である。
【発明を実施するための形態】
【００１９】
本発明に係る変倍結像光学系は、図１、図１１、図２１、図３１、図４１、図５１の各実施例のレンズ構成図に示されるとおり、物体側から像側へ順に、正の屈折力の第１レンズ群、負の屈折力の第２レンズ群、正の屈折力の第３レンズ群、正の屈折力の第４レンズ群、負の屈折力の第５レンズ群、第６レンズ群を少なくとも備え、変倍時に、隣り合うレンズ群の間隔が変化し、無限遠物体から近距離物体へのフォーカシングに際して、前記第５レンズ群が光軸に沿って像面側に移動し、第２レンズ群は物体側から像側へ順に、第２ａレンズ群と負の屈折力の第２ｂレンズ群を少なくとも備え、第２ｂレンズ群を光軸に対して垂直方向に変位させることによって防振を行う。
【００２０】
正の屈折力の第１レンズ群と負の屈折力の第２レンズ群は、広角端から望遠端への変倍時に、その間隔を増加させることにより変倍結像光学系の主な変倍効果を得ている。
【００２１】
また、正の屈折力の第１レンズ群により光線が収斂されることにより第２レンズ群に入射する光線の光線高が低くなるため、防振レンズ群の軽量化のためには防振レンズ群を第２レンズ群に配置することが好ましい。
【００２２】
さらに、第２レンズ群が物体側から像側へ順に少なくとも第２ａレンズ群と負の屈折力の第２ｂレンズ群とに分割され、入射する光線の光線高がより低くなる第２ｂレンズ群が防振レンズ群とされることで、防振レンズ群のより一層の軽量化が可能となる。
【００２３】
また、本発明に係る変倍結像光学系において、防振レンズ群である第２ｂレンズ群は負の屈折力を有する。第２ｂレンズ群を正の屈折力とした場合、第２ｂレンズ群を偏心させることによる防振効果を確保するためには、第２ｂレンズ群の正の屈折力を強める必要がある。この場合、第２レンズ群は全体で負の屈折力を有することとしているので、第２レンズ群を構成する第２ｂレンズ群以外の一部又は全部のレンズ群の負の屈折力を強める必要がある。そうすると、第２レンズ群で発生する収差が増大し、これを良好に補正することが困難となる。また、収差を良好に補正するために第２レンズ群を構成するレンズの枚数を増やすとレンズ系の大型化や重量増につながり好ましくない。
【００２４】
正の屈折力の第３レンズ群と正の屈折力の第４レンズ群は、広角端から望遠端への変倍時に、それぞれ物体側に移動することで像面補償作用を担うとともに変倍効果の一部も担っている。
【００２５】
正の屈折力の第３レンズ群は、負の屈折力の第２レンズ群で発散された光束を収斂してアフォーカルに近い光束として射出し、正の屈折力の第４レンズ群はさらに第３レンズ群から射出された光束を収斂している。
【００２６】
第３レンズ群と第４レンズ群との区間における光束はアフォーカルに近いため、第３レンズ群と第４レンズ群との間隔を変化させても軸上光束の通過にはあまり変化はなく球面収差の変動は小さいが、軸外光束の通過は変化するので球面収差は変動することとなる。この性質を利用して、変倍時に第３レンズ群と第４レンズ群の間隔を適切に設定することによりズーム全域において非点収差を良好に補正することが可能になる。
【００２７】
負の屈折力の第５レンズ群は、その物体側に配置された正の屈折力の第４レンズ群により収斂された光束が入射するので、これをフォーカスレンズ群とすることによりフォーカスレンズ群の軽量化が可能となる。
【００２８】
第６レンズ群は、像面に向かって光束が収斂される途中に配置されており、第５レンズ群との間隔を変化させることにより入射するＦナンバー光線の光線高を変化させて球面収差及び軸上色収差を変化させることが可能である。この性質を利用して、変倍時に第５レンズ群と第６レンズ群の間隔を適切に設定することによりズーム全域において球面収差及び軸上色収差を良好に補正することが可能となる。
【００２９】
また、本発明に係る変倍結像光学系は、以下に示す条件式を満足することを特徴とする。
（１）０．５２＜ｆ１／ｆｔ＜１．００
但し、
ｆ１：第１レンズ群の焦点距離
ｆｔ：望遠端における無限遠合焦時の光学系全系の焦点距離
【００３０】
条件式（１）は、第１レンズ群の焦点距離と、望遠端における無限遠合焦時の光学系全系の焦点距離との比について好ましい範囲を規定するものである。
【００３１】
条件式（１）の上限値を超えて、第１レンズ群の正の屈折力が弱まると、変倍のために必要な第１レンズ群の移動量が大きくなり、撮影レンズの小型化、軽量化が困難になる。
【００３２】
一方、条件式（１）の下限値を超えて、第１レンズ群の正の屈折力が強まると、第１レンズ群内の正レンズの曲率が大きくなり、第１レンズ群内で発生する球面収差、コマ収差、非点収差等の諸収差が大きくなり、ズーム全域において良好に諸収差を補正することが困難となる。また、第１レンズ群内の正レンズの曲率を大きくする代わりに屈折率を大きくする場合には、望遠端における軸上色収差、倍率色収差の補正がより困難となる。
【００３３】
なお、条件式（１）について、望ましくはその下限値を０．５３に、または、上限値を０．９０に限定することで、前述の効果をより確実にすることができる。
【００３４】
さらに、本発明に係る変倍結像光学系は、第２レンズ群は、変倍時に像面に対して固定されることが望ましい。
【００３５】
第２レンズ群は防振レンズ群を有しているので、第２レンズ群が変倍時に移動する場合には、防振レンズ群を駆動するためのアクチュエータ等を含む防振機構とともに移動する必要があるため、第２レンズ群の移動のための機構が大型化・複雑化して撮影レンズの小型化・軽量化が困難になる。
【００３６】
また、本発明に係る変倍結像光学系は、以下に示す条件式を満足することが望ましい。
（２）０．５０＜ｈＦｎｏ２ｂＴ／ｈＦｎｏ２ａＴ＜０．８５
（３）０．８０＜ｆ２ｂ／ｆ２＜２．５０
但し、
ｈＦｎｏ２ｂＴ：望遠端における無限遠合焦時の第２ｂレンズ群の最も物体側のレンズ面におけるＦナンバー光線の光線高
ｈＦｎｏ２ａＴ：望遠端における無限遠合焦時の第２ａレンズ群の最も物体側のレンズ面におけるＦナンバー光線の光線高
ｆ２ｂ：第２ｂレンズ群の焦点距離
ｆ２：第２レンズ群の焦点距離
【００３７】
条件式（２）は、望遠端における無限遠合焦時の第２ｂレンズ群の最も物体側のレンズ面におけるＦナンバー光線の光線高と、第２ａレンズ群の最も物体側のレンズ面におけるＦナンバー光線の光線高の比について好ましい範囲を規定するものである。
【００３８】
条件式（２）の上限値を超えて、望遠端における無限遠合焦時の第２ｂレンズ群の最も物体側のレンズ面におけるＦナンバー光線の光線高が高くなると、防振レンズ群の外径や重量が大きくなってしまう。そして、防振レンズ群の外径や重量が大きくなると防振レンズ群を駆動するためのアクチュエータ等を含む防振機構が大型化し、撮影レンズの小型化・軽量化が困難となる。
【００３９】
一方、条件式（２）の下限値を超えて、望遠端における無限遠合焦時の第２ｂレンズ群の最も物体側のレンズ面におけるＦナンバー光線の光線高が低くなると、第２ａレンズ群の最も物体側のレンズ面から第２ｂレンズ群の最も物体側のレンズ面までの距離が長くなるか、または、第１レンズ群の正の屈折力が強くなりＦナンバー光線がより急激に収斂することとなる。第２ａレンズ群の最も物体側のレンズ面から第２ｂレンズ群の最も物体側のレンズ面までの距離が長くなる場合には、第２レンズ群の全長が長くなり撮影レンズの小型化・軽量化が困難となる。また、第１レンズ群の正の屈折力が強くなりＦナンバー光線がより急激に収斂する場合には、条件式（１）の下限値を超える場合と同様に第１レンズ群内で発生する諸収差を良好に補正することが困難となる。
【００４０】
なお、条件式（２）について、望ましくはその下限値を０．５５に、または、上限値を０．８０に限定することで、前述の効果をより確実にすることができる。
【００４１】
条件式（３）は、第２ｂレンズ群の焦点距離と、第２レンズ群の焦点距離の比について好ましい範囲を規定するものである。
【００４２】
条件式（３）の上限値を超えて、第２ｂレンズ群の負の屈折力が弱くなり過ぎると、防振レンズ群である第２ｂレンズ群の防振係数の絶対値が小さくなる。このため、防振時の第２ｂレンズ群の光軸に対する垂直方向への移動量が大きくなり、撮影レンズの外径が増大して小型化・軽量化が困難となる。
【００４３】
一方、条件式（３）の下限値を超えて、第２ｂレンズ群の負の屈折力が強くなり過ぎると、第２ｂレンズ群内で発生する球面収差、コマ収差、非点収差等の諸収差が大きくなり、防振時の偏芯によるコマ収差、非点収差の変動を抑制することが困難になる。
【００４４】
なお、条件式（３）について、望ましくはその下限値を１．００に、または、上限値を２．２０に限定することで、前述の効果をより確実にすることができる。
【００４５】
さらに、本発明に係る変倍結像光学系は、第２ｂレンズ群は、１枚の正レンズと２枚の負レンズから構成されることが望ましい。
【００４６】
第２ｂレンズ群は、負の屈折力を有するが、防振時の偏芯による倍率色収差を抑制するために第２ｂレンズ群内で色消しされていることが望ましく、このために少なくとも１枚の正レンズを有することが望ましい。
【００４７】
また、防振レンズ群である第２ｂレンズ群を１枚の正レンズと１枚の負レンズだけで構成すると防振時の偏芯によるコマ収差、非点収差の変動を抑制するための自由度が不足するため、第２ｂレンズ群は３枚以上のレンズで構成されることがさらに望ましい。
【００４８】
そこで、第２ｂレンズ群は負の屈折力を有するので、負の屈折力を複数枚に分担させて、１枚以上の正レンズと２枚以上の負レンズから構成されることが望ましい。一方で、防振レンズ群である第２ｂレンズ群を構成するレンズの枚数を４枚以上に増やすと、収差変動の抑制は容易になるものの防振レンズ群の軽量化が困難になる。したがって、防振時の収差変動の抑制と防振レンズ群の軽量化の両立を可能とするためには、第２ｂレンズ群は、１枚の正レンズと、２枚の負レンズから構成されることが望ましい。
【００４９】
また、本発明に係る変倍結像光学系は、以下に示す条件式を満足することが望ましい。
（４）ｓｇ２ｂｐ２／（（ｎｄ２ｂｐ−１）×（νｄ２ｂｎ−νｄ２ｂｐ））＜０．４４
（５）ｓｇ２ｂｎ２／（（ｎｄ２ｂｎ−１）×（νｄ２ｂｎ−νｄ２ｂｐ））＜０．７０
但し、
ｓｇ２ｂｐ：第２ｂレンズ群に含まれる正レンズの比重
ｓｇ２ｂｎ：第２ｂレンズ群に含まれる負レンズの比重の平均値
ｎｄ２ｂｐ：第２ｂレンズ群に含まれる正レンズのｄ線に対する屈折率
ｎｄ２ｂｎ：第２ｂレンズ群に含まれる負レンズのｄ線に対する屈折率の平均値
νｄ２ｂｐ：第２ｂレンズ群に含まれる正レンズのｄ線に対するアッベ数
νｄ２ｂｎ：第２ｂレンズ群に含まれる負レンズのｄ線に対するアッベ数の平均値
【００５０】
条件式（４）及び（５）は、第２ｂレンズ群に含まれるレンズの材料に関するものである。
【００５１】
レンズは、同じ形状であれば、材料の比重が小さいほど重量は小さくなる。また、レンズは、材料の屈折率が大きいほど同じ屈折力を得るための曲率が小さくなり重量は小さくなる。
【００５２】
また、第２ｂレンズ群内の正レンズと負レンズのアッベ数の差が大きいほど、正レンズ、負レンズそれぞれの屈折力が弱くても色消しが可能になり第２ｂレンズ群を構成するレンズの重量は小さくなる。
【００５３】
条件式（４）は、第２ｂレンズ群に含まれる正レンズの重量を小さくして防振レンズ群を軽量化するための好ましい材料の特性を規定するものである。
【００５４】
条件式（４）の上限値を超え、第２ｂレンズ群に含まれる正レンズの重量が大きくなると、防振レンズ群の重量が大きくなり、防振レンズ群を駆動するアクチュエータ等の大型化により撮影レンズの小型化・軽量化が困難となる。
【００５５】
なお、条件式（４）について、望ましくはその上限値を０．４２に限定することで、前述の効果をより確実にすることができる。
【００５６】
また、条件式（４）について、さらに望ましくはその上限値を０．３９に限定することで、前述の効果をより確実にすることができる。
【００５７】
条件式（５）は、第２ｂレンズ群に含まれる負レンズの重量を小さくして防振レンズ群を軽量化するための好ましい材料の特性を規定するものである。
【００５８】
条件式（５）の上限値を超え、第２ｂレンズ群に含まれる負レンズの重量が大きくなると、防振レンズ群の重量が大きくなり、防振レンズ群を駆動するアクチュエータ等の大型化により撮影レンズの小型化・軽量化が困難となる。
【００５９】
なお、条件式（５）について、望ましくはその上限値を０．６０に限定することで、前述の効果をより確実にすることができる。
【００６０】
また、条件式（５）について、さらに望ましくはその上限値を０．５６に限定することで、前述の効果をより確実にすることができる。
【００６１】
さらに、本発明に係る変倍結像光学系は、第２レンズ群は、物体側から像側へ順に、第２ａレンズ群と負の屈折力の第２ｂレンズ群と第２ｃレンズ群から構成され、第２ｂレンズ群を光軸に対して垂直方向に変位させることによって防振を行うことが望ましい。
【００６２】
防振時の防振レンズ群の光軸に対する垂直方向への移動量が大きいと、撮影レンズの外径の増大を招くため、撮影レンズの小型化・軽量化が困難となる。したがって、防振レンズ群の防振係数（防振レンズ群の光軸に対する垂直方向への移動量に対する像の移動量の比）の絶対値は大きいことが望ましい。
【００６３】
また、防振レンズ群は光軸に対して垂直方向へ移動する際に機構的なガタ等により光軸方向に微小に移動してしまうことがあり、これにより焦点がずれて撮影画像の劣化や動画撮影中のピント変動が発生してしまうおそれがある。防振レンズ群の光軸方向への微小な移動による焦点のずれを抑制するためには、防振レンズ群のフォーカス敏感度（レンズ群の光軸方向への移動量に対する像の移動量の比）は小さいことが望ましい。
【００６４】
ここで、防振レンズ群についての防振係数ＫＯＳ及びフォーカス敏感度Ｋは、以下の（参考式ａ）及び（参考式ｂ）で表される。
（参考式ａ）ＫＯＳ＝（１−β）×βｂ
（参考式ｂ）Ｋ＝（１−β２）×βｂ２
ＫＯＳ：防振レンズ群の防振係数
Ｋ：防振レンズ群のフォーカス敏感度
β：防振レンズ群の横倍率
βｂ：防振レンズ群よりも像側に位置するレンズ系の横倍率
【００６５】
（参考式ａ）及び（参考式ｂ）のとおり、防振レンズ群についての防振係数及びフォーカス敏感度は、共に防振レンズ群の横倍率と防振レンズ群よりも像側に位置するレンズ系の横倍率に依存している。したがって、防振レンズ群の防振係数を維持したままフォーカス敏感度を小さくしようとした場合、防振レンズ群の横倍率と、防振レンズ群よりも像側に位置するレンズ群の横倍率の両方を変化させる必要がある。
【００６６】
本発明に係る変倍結像光学系において、防振レンズ群である第２ｂレンズ群の像側に第２ｃレンズ群を配置しない場合、第２ｂレンズ群の防振係数とフォーカス敏感度を制御するためには防振レンズ群よりも像側に位置するレンズ系である第３レンズ群以降のレンズ系の横倍率を変化させる必要がある。すなわちこの場合には変倍結像光学系全系の屈折力配置を変化させる必要があり、結像性能の低下を抑制しながら防振レンズ群についての防振係数とフォーカス敏感度の両方を制御することが困難となる。
【００６７】
これに対して、防振レンズ群である第２ｂレンズ群の像側に第２ｃレンズ群を配置することで、第２レンズ群内の屈折力配置を変更することにより第２ｂレンズ群の防振係数とフォーカス敏感度を制御することが可能になり、結像性能の低下を抑制しながら防振係数の絶対値を大きくフォーカス敏感度を小さくすることが可能となる。
【００６８】
また、本発明に係る変倍結像光学系は、以下に示す条件式を満足することが望ましい。
（６）１．４０＜｜（１−β２ｂＴ）×βｂ２ｂＴ｜＜２．９０
但し、
β２ｂＴ：望遠端における無限遠合焦時の第２ｂレンズ群の横倍率
βｂ２ｂＴ：望遠端における無限遠合焦時の第２ｂレンズ群より像側に位置するレンズ系の横倍率
【００６９】
条件式（６）は、望遠端における無限遠合焦時の第２ｂレンズ群の防振係数の絶対値について好ましい範囲を規定するものである。
【００７０】
条件式（６）の上限値を超えて、第２ｂレンズ群の防振係数の絶対値が大きくなると、第２ｂレンズ群の負の屈折力が強くなり過ぎるため、条件式（３）の下限値を超える場合と同様に防振時の偏芯によるコマ収差、非点収差の変動を抑制することが困難となる。
【００７１】
一方、条件式（６）の下限値を超えて、第２ｂレンズ群の防振係数の絶対値が小さくなり過ぎると、防振時の防振レンズ群の光軸に対する垂直方向への移動量が大きくなり、撮影レンズの外径が増大して小型化・軽量化が困難となる。
【００７２】
なお、条件式（６）について、望ましくはその下限値を１．６０に、または、上限値を２．８０に限定することで、前述の効果をより確実にすることができる。
【００７３】
さらに、本発明に係る変倍結像光学系は、第３レンズ群は、物体側から像側へ順に正レンズ、負レンズ、正レンズ、とからなる３枚接合レンズを有することが望ましい。
【００７４】
Ｆナンバーが明るい光学系ほど、諸収差、特に、球面収差、コマ収差、軸上色収差をより良好に補正することが求められる。本発明に係る変倍結像光学系において、第３レンズ群に物体側から像側へ順に正レンズ、負レンズ、正レンズとからなる３枚接合レンズを有する構成とすることにより、軸上光束の径が大きくなる第３レンズ群内に曲率の大きい接合面を複数有することが可能となり、これにより球面収差、コマ収差、軸上色収差の良好な補正が可能になる。一般的に、球面収差、コマ収差等の収差補正の効果が大きいレンズ面では、レンズ面同士の空気間隔やレンズ同士の偏芯等の製造誤差による光学性能の低下が大きくなるおそれがあるが、これらのレンズ面を接合することでレンズ面同士の空気間隔をなくしレンズ同士の偏心を抑制することにより製造誤差による光学性能の低下を小さくすることが可能となる。
【００７５】
さらに本発明に係る変倍結像光学系は、第５レンズ群は、１枚の負レンズから構成されることが望ましい。
【００７６】
フォーカスレンズ群である第５レンズ群を１枚の負レンズから構成することにより、フォーカスレンズ群をより軽量化することが可能となり、動画撮影におけるフォーカスレンズ群のウォブリング駆動にも好適な変倍結像光学系の提供が可能となる。
【００７７】
本発明に係る変倍結像光学系は、さらに以下の構成を伴うことがより好ましい。
【００７８】
第３レンズ群、あるいは第４レンズ群に非球面を導入することで、球面収差、コマ収差等のより良好な補正が可能になる。また、第５レンズ群に非球面を導入することで、フォーカシング時の球面収差の変動をより良好に補正することが可能になる。
【００７９】
また、第２ａレンズ群は、物体側から像側へ順に１枚または２枚の正レンズと１枚の負レンズを有することがより望ましい。この構成により、第２ｂレンズ群に入射する光線の光線高を下げることが容易になり、防振レンズ群をより軽量化することが可能となる。
【００８０】
また、第４レンズ群は、少なくとも１枚の負レンズを有することがより望ましい。この構成により、第４レンズ群内で発生する、球面収差、コマ収差、軸上色収差等の諸収差の量を抑制することが可能になる。
【００８１】
次に、本発明に係る変倍結像光学系の各実施例のレンズ構成について説明する。以下の説明において、レンズ構成を物体側から像側の順番で記載する。Ｌｎは物体側から順番にレンズを数えたときのレンズ番号ｎに対応するレンズを示す記号であり、接合レンズの場合にはこれを構成するそれぞれのレンズ１枚ごとに記号を示すこととする。
【実施例１】
【００８２】
図１は、本発明の実施例１の変倍結像光学系のレンズ構成図である。
【００８３】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、正の屈折力の第６レンズ群Ｇ６から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は移動する構成となっている。また、無限遠物体から近距離物体へのフォーカシングに際して、第５レンズ群Ｇ５が光軸に沿って像面側に移動する。
【００８４】
第１レンズ群Ｇ１は、物体側に凸面を向けた負メニスカスレンズＬ１と物体側に凸面を向けた正メニスカスレンズＬ２からなる接合レンズと、物体側に凸面を向けた正メニスカスレンズＬ３から構成される。
【００８５】
第２レンズ群Ｇ２は、物体側より順に負の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【００８６】
開口絞りは第３レンズ群Ｇ３の物体側に備えられ、変倍に際して第３レンズ群Ｇ３と一体で移動する。
【００８７】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【００８８】
第４レンズ群Ｇ４は、両凸レンズＬ１６と像側に凸面を向けた負メニスカスレンズＬ１７からなる接合レンズと、両凸レンズＬ１８から構成される。両凸レンズＬ１６の物体側の面は所定の非球面形状となっている。
【００８９】
第５レンズ群Ｇ５は、物体側に凸面を向けた負メニスカスレンズＬ１９から構成される。負メニスカスレンズＬ１９の物体側の面は所定の非球面形状となっている。
【００９０】
第６レンズ群Ｇ６は、両凸レンズＬ２０と像側が平面の平凹レンズＬ２１からなる接合レンズから構成される。
【実施例２】
【００９１】
図１１は、本発明の実施例２の変倍結像光学系のレンズ構成図である。
【００９２】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、正の屈折力の第６レンズ群Ｇ６から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は移動する構成となっている。また、無限遠物体から近距離物体へのフォーカシングに際して、第５レンズ群Ｇ５が光軸に沿って像面側に移動する。
【００９３】
第１レンズ群Ｇ１は、物体側に凸面を向けた負メニスカスレンズＬ１と物体側に凸面を向けた正メニスカスレンズＬ２からなる接合レンズと、像側が平面の平凸レンズＬ３から構成される。
【００９４】
第２レンズ群Ｇ２は、物体側より順に負の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【００９５】
開口絞りは第３レンズ群Ｇ３の物体側に備えられ、変倍に際して第３レンズ群Ｇ３と一体で移動する。
【００９６】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【００９７】
第４レンズ群Ｇ４は、両凸レンズＬ１６と像側が平面の平凹レンズＬ１７からなる接合レンズと、両凸レンズＬ１８から構成される。両凸レンズＬ１６の物体側の面は所定の非球面形状となっている。
【００９８】
第５レンズ群Ｇ５は、物体側に凸面を向けた負メニスカスレンズＬ１９から構成される。負メニスカスレンズＬ１９の物体側の面は所定の非球面形状となっている。
【００９９】
第６レンズ群Ｇ６は、物体側に凸面を向けた正メニスカスレンズＬ２０と物体側に凸面を向けた負メニスカスレンズＬ２１からなる接合レンズから構成される。
【実施例３】
【０１００】
図２１は、本発明の実施例３の変倍結像光学系のレンズ構成図である。
【０１０１】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、負の屈折力の第６レンズ群Ｇ６から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は物体側に移動する構成となっている。また、無限遠物体から近距離物体へのフォーカシングに際して、第５レンズ群Ｇ５が光軸に沿って像面側に移動する。
【０１０２】
第１レンズ群Ｇ１は、物体側に凸面を向けた負メニスカスレンズＬ１と物体側に凸面を向けた正メニスカスレンズＬ２からなる接合レンズと、物体側に凸面を向けた正メニスカスレンズＬ３から構成される。
【０１０３】
第２レンズ群Ｇ２は、物体側より順に負の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【０１０４】
開口絞りは第３レンズ群Ｇ３の物体側に備えられ、変倍に際して第３レンズ群Ｇ３と一体で移動する。
【０１０５】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【０１０６】
第４レンズ群Ｇ４は、両凸レンズＬ１６と像側に凸面を向けた負メニスカスレンズＬ１７からなる接合レンズと、両凸レンズＬ１８から構成される。両凸レンズＬ１６の物体側の面は所定の非球面形状となっている。
【０１０７】
第５レンズ群Ｇ５は、物体側に凸面を向けた負メニスカスレンズＬ１９から構成される。負メニスカスレンズＬ１９の物体側の面は所定の非球面形状となっている。
【０１０８】
第６レンズ群Ｇ６は、両凸レンズＬ２０と像側が平面の平凹レンズＬ２１からなる接合レンズから構成される。
【実施例４】
【０１０９】
図３１は、本発明の実施例４の変倍結像光学系のレンズ構成図である。
【０１１０】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、正の屈折力の第６レンズ群Ｇ６から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は移動する構成となっている。また、無限遠物体から近距離物体へのフォーカシングに際して、第５レンズ群Ｇ５が光軸に沿って像面側に移動する。
【０１１１】
第１レンズ群Ｇ１は、物体側に凸面を向けた負メニスカスレンズＬ１と物体側に凸面を向けた正メニスカスレンズＬ２からなる接合レンズと、物体側に凸面を向けた正メニスカスレンズＬ３から構成される。
【０１１２】
第２レンズ群Ｇ２は、物体側より順に負の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【０１１３】
開口絞りは第２レンズ群Ｇ２の像側に備えられ、変倍に際して像面に対して固定されている。
【０１１４】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【０１１５】
第４レンズ群Ｇ４は、両凸レンズＬ１６と両凹レンズＬ１７からなる接合レンズと、両凸レンズＬ１８から構成される。両凸レンズＬ１６の物体側の面は所定の非球面形状となっている。
【０１１６】
第５レンズ群Ｇ５は、物体側に凸面を向けた負メニスカスレンズＬ１９から構成される。負メニスカスレンズＬ１９の物体側の面は所定の非球面形状となっている。
【０１１７】
第６レンズ群Ｇ６は、両凸レンズＬ２０と像側が平面の平凹レンズＬ２１からなる接合レンズから構成される。
【実施例５】
【０１１８】
図４１は、本発明の実施例５の変倍結像光学系のレンズ構成図である。
【０１１９】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、正の屈折力の第６レンズ群Ｇ６、負の屈折力の第７レンズ群Ｇ７から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は移動し、第７レンズ群Ｇ７は固定される構成となっている。また、無限遠物体から近距離物体へのフォーカシングに際して、第５レンズ群Ｇ５が光軸に沿って像面側に移動する。
【０１２０】
第１レンズ群Ｇ１は、物体側に凸面を向けた負メニスカスレンズＬ１と物体側に凸面を向けた正メニスカスレンズＬ２からなる接合レンズと、物体側に凸面を向けた正メニスカスレンズＬ３から構成される。
【０１２１】
第２レンズ群Ｇ２は、物体側より順に負の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【０１２２】
開口絞りは第３レンズ群Ｇ３の物体側に備えられ、変倍に際して第３レンズ群Ｇ３と一体で移動する。
【０１２３】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【０１２４】
第４レンズ群Ｇ４は、両凸レンズＬ１６と像側に凸面を向けた負メニスカスレンズＬ１７からなる接合レンズと、両凸レンズＬ１８から構成される。両凸レンズＬ１６の物体側の面は所定の非球面形状となっている。
【０１２５】
第５レンズ群Ｇ５は、物体側に凸面を向けた負メニスカスレンズＬ１９から構成される。負メニスカスレンズＬ１９の物体側の面は所定の非球面形状となっている。
【０１２６】
第６レンズ群Ｇ６は、両凸レンズＬ２０と両凹レンズＬ２１からなる接合レンズから構成される。
【０１２７】
第７レンズ群Ｇ７は、物体側に凸面を向けた負メニスカスレンズＬ２２から構成される。
【実施例６】
【０１２８】
図５１は、本発明の実施例６の変倍結像光学系のレンズ構成図である。
【０１２９】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、正の屈折力の第６レンズ群Ｇ６から構成され、広角端から望遠端への変倍に際して、第１レンズ群Ｇ１は物体側に移動し、第２レンズ群Ｇ２は固定され、第３レンズ群Ｇ３は物体側に移動し、第４レンズ群Ｇ４は物体側に移動し、第５レンズ群Ｇ５は物体側に移動し、第６レンズ群Ｇ６は移動する構成となっている。また、無限遠物体から近距離物体へのフォーカシングに際して、第５レンズ群Ｇ５が光軸に沿って像面側に移動する。
【０１３０】
第１レンズ群Ｇ１は、物体側に凸面を向けた負メニスカスレンズＬ１と物体側に凸面を向けた正メニスカスレンズＬ２からなる接合レンズと、物体側に凸面を向けた正メニスカスレンズＬ３から構成される。
【０１３１】
第２レンズ群Ｇ２は、物体側より順に正の屈折力の第２ａレンズ群Ｇ２ａと負の屈折力の第２ｂレンズ群Ｇ２ｂと負の屈折力の第２ｃレンズ群Ｇ２ｃから構成され、第２ｂレンズ群Ｇ２ｂを光軸に対して垂直方向に変位させることによって防振を行う。第２ａレンズ群Ｇ２ａは、両凸レンズＬ４と、両凸レンズＬ５と両凹レンズＬ６からなる接合レンズから構成される。第２ｂレンズ群Ｇ２ｂは、両凸レンズＬ７と両凹レンズＬ８からなる接合レンズと、両凹レンズＬ９から構成される。第２ｃレンズ群Ｇ２ｃは、像側に凸面を向けた負メニスカスレンズＬ１０から構成される。
【０１３２】
開口絞りは第３レンズ群Ｇ３の物体側に備えられ、変倍に際して第３レンズ群Ｇ３と一体で移動する。
【０１３３】
第３レンズ群Ｇ３は、両凸レンズＬ１１と、両凸レンズＬ１２と、両凸レンズＬ１３と両凹レンズＬ１４と物体側に凸面を向けた正メニスカスレンズＬ１５との３枚からなる接合レンズから構成される。
【０１３４】
第４レンズ群Ｇ４は、両凸レンズＬ１６と像側に凸面を向けた負メニスカスレンズＬ１７からなる接合レンズと、両凸レンズＬ１８から構成される。両凸レンズＬ１６の物体側の面は所定の非球面形状となっている。
【０１３５】
第５レンズ群Ｇ５は、物体側に凸面を向けた負メニスカスレンズＬ１９から構成される。負メニスカスレンズＬ１９の物体側の面は所定の非球面形状となっている。
【０１３６】
第６レンズ群Ｇ６は、両凸レンズＬ２０と像側が平面の平凹レンズＬ２１からなる接合レンズから構成される。
【０１３７】
次に、本発明に係る変倍結像光学系の各実施例の数値実施例と条件式対応値について説明する。
【０１３８】
［面データ］において、面番号は物体側から順番に数えたレンズ面または開口絞りの番号、ｒはレンズ面の曲率半径、ｄはレンズ面の間隔、ｎｄはｄ線（波長５８７．５６ｎｍ）に対する屈折率、νｄはｄ線（波長５８７．５６ｎｍ）に対するアッベ数を示している。
【０１３９】
面番号に付した「＊」（アスタリスク）は、そのレンズ面の形状が非球面形状であることを示している。また、面番号にふした「（絞り）」は開口絞りが配置されていることを示し、平面または開口絞りに対応するｒには「∞」（無限大）を記載している。
【０１４０】
［非球面データ］において、［面データ］において「＊」を付したレンズ面の非球面形状を規定するための各係数の値を示している。各実施例において、非球面形状は下記の式で表される。下記の式において、光軸に直交する方向への光軸からの変位をｙ、非球面形状と光軸の交点から光軸方向への変位（サグ量）をｚ、基準球面の曲率半径をｒ、コーニック係数をＫで示している。また、４、６、８、１０次の非球面係数の値をそれぞれＡ４、Ａ６、Ａ８、Ａ１０で示している。
【０１４１】
【数１】
2019032353.tif 000003
【０１４２】
［各種データ］において、ズーム比及び各焦点距離状態における焦点距離等の値を示している。
【０１４３】
［可変間隔データ］において、各焦点距離状態における可変間隔及びＢＦの値を示している。
【０１４４】
［レンズ群データ］において、各レンズ群を構成する最も物体側のレンズ面の面番号及びレンズ群全体の焦点距離を示している。
【０１４５】
［第２レンズ群比重データ］において、各レンズのレンズ番号及び比重を示している。
【０１４６】
各実施例に対応する各収差図において、ｄ、ｇ、Ｃはそれぞれｄ線、ｇ線、Ｃ線を表しており、△Ｓ、△Ｍはそれぞれサジタル像面、メリジオナル像面を表している。
【０１４７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１４８】
数値実施例１
単位：mm
[面データ]
面番号 r d nd vd
物面 ∞ ∞
1 107.0113 1.5000 1.80610 33.27
2 63.0692 6.8637 1.49700 81.61
3 1469.2388 0.1500
4 64.7556 6.1677 1.43700 95.10
5 585.4111 (d5)
6 131.2115 2.7328 1.61340 44.27
7 -180.3874 0.1500
8 30.8056 5.9735 1.67270 32.17
9 -68.4988 0.9000 1.80420 46.50
10 22.1633 4.9758
11 200.0749 1.9284 1.80809 22.76
12 -103.6542 0.7500 1.69680 55.46
13 54.3688 1.9823
14 -38.4506 0.7500 1.59349 67.00
15 124.6837 3.8266
16 -25.5983 0.9000 1.83481 42.72
17 -50.1419 (d17)
18(絞り) ∞ 1.5000
19 73.8147 3.7025 1.59282 68.62
20 -55.1139 0.1500
21 75.2473 3.1167 1.59282 68.62
22 -83.5091 0.1500
23 41.0108 5.3653 1.43700 95.10
24 -34.6563 0.9000 1.90366 31.31
25 17.0000 4.8715 2.00100 29.13
26 56.7255 (d26)
27* 100.0000 3.0263 1.55332 71.68
28 -45.9847 0.9000 1.84666 23.78
29 -353.9551 0.9180
30 343.8470 2.9746 1.90366 31.31
31 -40.9182 (d31)
32* 194.4252 1.0000 1.58913 61.25
33 27.5410 (d33)
34 191.3043 2.2506 1.80518 25.46
35 -87.7804 0.9000 1.59349 67.00
36 ∞ (d36)
37 ∞ 4.2000 1.51680 64.20
38 ∞ (BF)
像面 ∞
[非球面データ]
27面 32面
K 0.0000 0.0000
A4 -1.37472E-05 1.27179E-06
A6 8.47280E-11 -4.30790E-09
A8 -1.12625E-11 3.36745E-11
A10 0.00000E+00 0.00000E+00
A12
[各種データ]
ズーム比 3.80
広角 中間 望遠
焦点距離 51.25 100.00 195.00
Fナンバー 2.91 3.35 4.11
全画角2ω 23.43 12.14 6.25
像高Y 10.82 10.82 10.82
レンズ全長 150.00 178.51 195.00
[可変間隔データ]
広角 中間 望遠
d0 ∞ ∞ ∞
d5 3.0000 31.5114 48.0000
d17 15.8644 10.7059 1.0000
d26 12.4659 4.6971 4.1611
d31 8.5800 3.0000 2.5001
d33 6.8133 17.7919 36.2699
d36 26.8000 34.3288 26.5926
BF 1.0000 1.0000 1.0000
[レンズ群データ]
群 始面 焦点距離
G1 1 121.24
G2 6 -22.31
G3 19 39.84
G4 27 38.66
G5 32 -54.58
G6 34 151.34
G2a 6 -276.74
G2b 11 -35.66
G2c 16 -63.71
[第２ｂレンズ群比重データ]
レンズ番号 比重
L7 3.32
L8 3.67
L9 3.14
【０１４９】
数値実施例２
単位：mm
[面データ]
面番号 r d nd vd
物面 ∞ ∞
1 104.5976 1.5000 1.80610 33.27
2 66.7163 5.8826 1.49700 81.61
3 337.5775 0.1500
4 87.9608 5.4378 1.43700 95.10
5 ∞ (d5)
6 50.7037 5.7327 1.51742 52.15
7 -850.0990 3.7661
8 32.0810 5.9925 1.72825 28.32
9 -101.9851 0.9002 1.87071 40.73
10 21.8094 4.2304
11 222.6479 1.9881 1.75211 25.05
12 -91.8154 0.7500 1.69680 55.46
13 52.3327 1.9986
14 -37.2128 0.7500 1.59349 67.00
15 196.9229 3.4870
16 -29.0521 0.9000 1.83481 42.72
17 -63.3382 (d17)
18(絞り) ∞ 1.5000
19 56.2643 3.9204 1.55032 75.50
20 -57.9181 0.1500
21 61.8804 2.9474 1.59282 68.62
22 -132.3145 0.1500
23 37.4684 5.3615 1.43700 95.10
24 -36.6936 0.9000 1.90366 31.31
25 17.0324 4.4341 2.00100 29.13
26 44.8015 (d26)
27* 84.2745 2.8909 1.55332 71.68
28 -53.8774 0.9000 1.84666 23.78
29 ∞ 0.9674
30 134.9657 3.3097 1.90366 31.31
31 -41.4474 (d31)
32* 186.3305 1.0000 1.58913 61.25
33 27.2703 (d33)
34 48.6673 2.4371 1.80518 25.46
35 472.8234 0.9000 1.77250 49.62
36 73.7309 (d36)
37 ∞ 4.2000 1.51680 64.20
38 ∞ (BF)
像面 ∞
[非球面データ]
27面 32面
K 0.0000 0.0000
A4 -1.53673E-05 1.49963E-06
A6 1.11946E-09 -1.10845E-09
A8 -1.36882E-11 8.94352E-12
A10 0.00000E+00 0.00000E+00
A12
[各種データ]
ズーム比 3.80
広角 中間 望遠
焦点距離 51.25 100.00 195.00
Fナンバー 2.91 3.34 4.11
全画角2ω 23.50 12.17 6.27
像高Y 10.82 10.82 10.82
レンズ全長 152.00 179.00 202.91
[可変間隔データ]
広角 中間 望遠
d0 ∞ ∞ ∞
d5 2.0000 29.0000 52.9146
d17 19.8067 10.2309 1.0000
d26 11.2657 5.3038 3.5373
d31 4.4360 3.0416 2.5000
d33 6.6471 17.1613 35.8969
d36 27.4101 33.8280 26.6315
BF 1.0000 1.0000 1.0000
[レンズ群データ]
群 始面 焦点距離
G1 1 153.07
G2 6 -26.30
G3 19 43.17
G4 27 34.49
G5 32 -54.35
G6 34 158.19
G2a 6 -814.64
G2b 11 -35.08
G2c 16 -65.07
[第２ｂレンズ群比重データ]
レンズ番号 比重
L7 3.14
L8 3.67
L9 3.14
【０１５０】
数値実施例３
単位：mm
[面データ]
面番号 r d nd vd
物面 ∞ ∞
1 90.4464 1.5000 1.80518 25.46
2 65.8065 5.9257 1.49700 81.61
3 592.3631 0.1500
4 92.2983 4.2567 1.43700 95.10
5 600.8308 (d5)
6 153.3653 2.7740 1.65844 50.85
7 -173.3592 0.1500
8 34.1783 6.0374 1.71736 29.50
9 -66.4092 1.7551 1.83481 42.72
10 23.9697 5.0406
11 517.3924 1.7330 1.89286 20.36
12 -123.7127 0.7500 1.69680 55.46
13 84.4966 1.8261
14 -45.8377 0.7500 1.61997 63.88
15 142.0037 4.1492
16 -25.6327 0.9000 1.83481 42.72
17 -67.0219 (d17)
18(絞り) ∞ 1.5000
19 81.3414 4.0550 1.59282 68.62
20 -54.7448 0.1500
21 70.0438 3.4249 1.59282 68.62
22 -100.1844 0.1500
23 37.5761 6.1484 1.43700 95.10
24 -38.6658 0.9000 1.90366 31.31
25 17.0000 5.6255 2.00100 29.13
26 53.0084 (d26)
27* 96.3243 3.5704 1.55332 71.68
28 -39.8259 0.9000 1.84666 23.78
29 -156.6876 0.8117
30 814.1679 3.2268 1.90366 31.31
31 -40.3973 (d31)
32* 89.4561 1.0000 1.58913 61.25
33 27.8331 (d33)
34 537.1537 3.7132 1.71736 29.50
35 -25.4245 0.9000 1.77250 49.62
36 ∞ (d36)
37 ∞ 4.2000 1.51680 64.20
38 ∞ (BF)
像面 ∞
[非球面データ]
27面 32面
K 0.0000 0.0000
A4 -1.52391E-05 8.89816E-07
A6 1.90937E-09 -6.76284E-09
A8 -2.62838E-11 4.24621E-11
A10 0.00000E+00 0.00000E+00
A12
[各種データ]
ズーム比 3.80
広角 中間 望遠
焦点距離 51.25 100.00 195.00
Fナンバー 2.91 3.35 4.11
全画角2ω 23.53 12.15 6.25
像高Y 10.82 10.82 10.82
レンズ全長 151.00 177.54 198.00
[可変間隔データ]
広角 中間 望遠
d0 ∞ ∞ ∞
d5 3.0000 29.5355 50.0000
d17 18.3216 10.2184 1.0000
d26 11.7418 5.3341 3.8782
d31 5.2768 3.0000 2.5000
d33 6.8863 14.9347 24.9289
d36 26.8000 35.5393 36.7194
BF 1.0000 1.0000 1.0000
[レンズ群データ]
群 始面 焦点距離
G1 1 135.86
G2 6 -23.34
G3 19 38.53
G4 27 37.40
G5 32 -69.00
G6 34 -1209.14
G2a 6 -358.72
G2b 11 -43.58
G2c 16 -50.22
[第２ｂレンズ群比重データ]
レンズ番号 比重
L7 3.61
L8 3.67
L9 3.57
【０１５１】
数値実施例４
単位：mm
[面データ]
面番号 r d nd vd
物面 ∞ ∞
1 100.9059 1.5000 1.75520 27.53
2 61.5189 6.5980 1.49700 81.61
3 1229.9248 0.1500
4 65.8993 5.6098 1.49700 81.61
5 483.7397 (d5)
6 430.6773 2.1300 1.84666 23.78
7 -154.1336 0.1500
8 36.8662 5.1845 1.68893 31.16
9 -59.5764 0.9000 1.87071 40.73
10 26.1508 3.5305
11 112.2216 1.6922 1.94595 17.98
12 -1000.0000 0.7500 1.69680 55.46
13 55.2597 2.5788
14 -44.5996 0.7500 1.59349 67.00
15 79.5163 4.3399
16 -23.7211 0.9000 1.83481 42.72
17 -45.6943 1.0000
18(絞り) ∞ (d18)
19 107.3370 3.7720 1.59282 68.62
20 -49.5550 0.1500
21 69.0471 3.5284 1.59282 68.62
22 -80.9060 0.1500
23 41.7479 5.6285 1.43700 95.10
24 -37.6342 0.9000 1.90366 31.31
25 17.2801 5.2813 2.00100 29.13
26 56.7170 (d26)
27* 100.0000 2.9186 1.55332 71.68
28 -55.8448 0.9000 1.84666 23.78
29 156.2715 0.1559
30 86.8890 3.6288 1.90366 31.31
31 -46.0423 (d31)
32* 153.0382 1.0000 1.58913 61.25
33 27.9521 (d33)
34 186.0177 2.2701 1.84666 23.78
35 -88.4993 0.9000 1.77250 49.62
36 ∞ (d36)
37 ∞ 4.2000 1.51680 64.20
38 ∞ (BF)
像面 ∞
[非球面データ]
27面 32面
K 0.0000 0.0000
A4 -1.15920E-05 1.28357E-06
A6 -7.08928E-11 -1.20275E-08
A8 -1.89429E-11 1.69641E-10
A10 7.85680E-15 -8.06977E-13
A12
[各種データ]
ズーム比 3.80
広角 中間 望遠
焦点距離 51.25 100.00 195.00
Fナンバー 2.91 3.35 4.11
全画角2ω 23.53 12.16 6.25
像高Y 10.82 10.82 10.82
レンズ全長 155.00 179.00 193.68
[可変間隔データ]
広角 中間 望遠
d0 ∞ ∞ ∞
d5 4.8854 28.8853 43.5608
d18 16.3582 11.1396 1.5000
d26 16.7338 7.2959 7.3963
d31 9.1318 3.0000 2.5000
d33 6.9380 19.2423 37.9197
d36 26.8054 35.2894 26.6511
BF 1.0000 1.0000 1.0000
[レンズ群データ]
群 始面 焦点距離
G1 1 107.15
G2 6 -20.66
G3 19 38.97
G4 27 40.80
G5 32 -58.22
G6 34 185.71
G2a 6 -145.53
G2b 11 -40.66
G2c 16 -60.21
[第２ｂレンズ群比重データ]
レンズ番号 比重
L7 3.51
L8 3.67
L9 3.14
【０１５２】
数値実施例５
単位：mm
[面データ]
面番号 r d nd vd
物面 ∞ ∞
1 108.7579 1.5000 1.75520 27.53
2 65.0319 6.4963 1.49700 81.61
3 1357.9862 0.1500
4 66.0814 5.5143 1.49700 81.61
5 349.1178 (d5)
6 201.9320 2.5492 1.58144 40.89
7 -140.4557 0.1500
8 31.6210 6.2327 1.71736 29.50
9 -58.3866 0.9000 1.83481 42.72
10 22.5351 4.6009
11 128.5535 1.6738 1.94595 17.98
12 -390.8671 0.7500 1.72916 54.67
13 51.4603 2.4915
14 -39.6332 0.7500 1.61997 63.88
15 118.0626 3.9970
16 -24.0539 0.9000 1.80610 33.27
17 -44.0818 (d17)
18(絞り) ∞ 1.5000
19 79.0075 3.4931 1.49700 81.61
20 -60.8838 0.1500
21 73.2113 3.4554 1.59282 68.62
22 -68.2831 0.8270
23 43.5836 5.4518 1.43700 95.10
24 -34.0228 0.9000 1.90366 31.31
25 18.1731 4.7958 2.00100 29.13
26 60.2374 (d26)
27* 100.0000 4.0165 1.55332 71.68
28 -38.7627 0.9000 1.84666 23.78
29 -82.6958 1.4513
30 1000.0000 2.8908 1.90366 31.31
31 -45.3463 (d31)
32* 200.0000 1.0000 1.58913 61.25
33 25.9113 (d33)
34 44.9012 3.5711 1.67270 32.17
35 -113.5566 0.9000 1.62299 58.12
36 291.8609 (d36)
37 79.9595 0.9000 1.71300 53.94
38 41.4450 25.8000
39 ∞ 4.2000 1.51680 64.20
40 ∞ (BF)
像面 ∞
[非球面データ]
27面 32面
K 0.0000 0.0000
A4 -1.19927E-05 1.95169E-06
A6 1.01971E-09 -1.00312E-08
A8 -5.22807E-12 1.60191E-10
A10 0.00000E+00 -8.47922E-13
A12
[各種データ]
ズーム比 3.80
広角 中間 望遠
焦点距離 51.25 100.00 195.00
Fナンバー 2.91 3.35 4.11
全画角2ω 23.51 12.19 6.27
像高Y 10.82 10.82 10.82
レンズ全長 152.00 178.56 195.00
[可変間隔データ]
広角 中間 望遠
d0 ∞ ∞ ∞
d5 2.0000 28.5587 45.0000
d17 15.8080 10.1206 1.0000
d26 12.0741 4.7376 4.1990
d31 8.7826 3.0000 2.5000
d33 6.3885 18.8451 35.4424
d36 1.0881 7.4381 1.0000
BF 1.0000 1.0000 1.0000
[レンズ群データ]
群 始面 焦点距離
G1 1 115.34
G2 6 -22.38
G3 19 45.39
G4 27 35.45
G5 32 -50.64
G6 34 74.86
G7 37 -121.86
G2a 6 -218.20
G2b 11 -36.79
G2c 16 -67.02
[第２ｂレンズ群比重データ]
レンズ番号 比重
L7 3.51
L8 4.05
L9 3.57
【０１５３】
数値実施例６
単位：mm
[面データ]
面番号 r d nd vd
物面 ∞ ∞
1 110.0676 1.5000 1.80610 33.27
2 67.2997 6.1953 1.49700 81.61
3 629.7192 0.1500
4 76.5701 5.7024 1.43700 95.10
5 1475.6847 (d5)
6 76.7157 3.3066 1.71700 47.98
7 -349.4891 0.1500
8 31.3969 5.5521 1.67270 32.17
9 -107.4632 0.9000 1.87071 40.73
10 25.1109 4.9704
11 403.4775 2.4827 1.80809 22.76
12 -48.9707 0.7500 1.69680 55.46
13 36.1988 2.7058
14 -28.8084 0.7500 1.59349 67.00
15 4072.0961 3.2473
16 -33.1866 0.9000 1.87071 40.73
17 -59.9116 (d17)
18(絞り) ∞ 1.5000
19 67.5565 3.8887 1.55032 75.50
20 -55.6928 0.1500
21 67.0156 3.1416 1.59282 68.62
22 -105.0742 0.2188
23 38.3146 5.5784 1.43700 95.10
24 -37.0966 0.9000 1.90366 31.31
25 17.2760 4.8684 2.00100 29.13
26 51.8875 (d26)
27* 91.7980 3.2978 1.55332 71.68
28 -42.3602 0.9000 1.84666 23.78
29 -310.6655 0.5410
30 174.7248 3.2819 1.90366 31.31
31 -41.5873 (d31)
32* 200.0000 1.0000 1.58913 61.25
33 26.5596 (d33)
34 157.4186 2.5908 1.78472 25.72
35 -64.2320 0.9000 1.77250 49.62
36 ∞ (d36)
37 ∞ 4.2000 1.51680 64.20
38 ∞ (BF)
像面 ∞
[非球面データ]
27面 32面
K 0.0000 0.0000
A4 -1.48485E-05 1.57802E-06
A6 2.20223E-10 -4.66078E-09
A8 -1.52114E-11 3.23026E-11
A10 0.00000E+00 0.00000E+00
A12
[各種データ]
ズーム比 3.80
広角 中間 望遠
焦点距離 51.25 100.00 195.00
Fナンバー 2.91 3.35 4.11
全画角2ω 23.47 12.14 6.25
像高Y 10.82 10.82 10.82
レンズ全長 150.00 179.00 200.00
[可変間隔データ]
広角 中間 望遠
d0 ∞ ∞ ∞
d5 3.0000 32.0000 53.0001
d17 16.8927 9.9644 1.0000
d26 12.6348 5.1840 3.5478
d31 6.9452 3.5675 2.5000
d33 6.5072 16.5557 36.1808
d36 26.8000 34.5084 26.5514
BF 1.0000 1.0000 1.0000
[レンズ群データ]
群 始面 焦点距離
G1 1 136.86
G2 6 -24.33
G3 19 41.14
G4 27 35.51
G5 32 -52.10
G6 34 193.28
G2a 6 997.22
G2b 11 -27.49
G2c 16 -86.81
[第２ｂレンズ群比重データ]
レンズ番号 比重
L7 3.32
L8 3.67
L9 3.14
【０１５４】
［条件式対応値］
条件式／実施例 
（１）ｆ１／ｆｔ 
（２）ｈＦｎｏ２ｂＴ／ｈＦｎｏ２ａＴ 
（３）ｆ２ｂ／ｆ２ 
（４）ｓｇ２ｂｐ２／（（ｎｄ２ｂｐ−１）×（νｄ２ｂｎ−νｄ２ｂｐ））
（５）ｓｇ２ｂｎ２／（（ｎｄ２ｂｎ−１）×（νｄ２ｂｎ−νｄ２ｂｐ））
（６）｜（１−β２ｂＴ）×βｂ２ｂＴ｜ 
ex1 ex2 ex3 ex4 ex5 ex6 
（１）0.622 0.785 0.697 0.549 0.591 0.702
（２）0.694 0.623 0.706 0.747 0.695 0.697
（３）1.598 1.334 1.867 1.968 1.644 1.130
（４）0.355 0.362 0.371 0.301 0.315 0.355
（５）0.467 0.497 0.506 0.416 0.521 0.467
（６）1.999 1.999 1.801 1.847 1.965 2.600
【符号の説明】
【０１５５】
Ｇ１    第１レンズ群
Ｇ２    第２レンズ群
Ｇ２ａ  第２ａレンズ群
Ｇ２ｂ  第２ｂレンズ群
Ｇ２ｃ  第２ｃレンズ群
Ｇ３    第３レンズ群
Ｇ４    第４レンズ群
Ｇ５    第５レンズ群
Ｇ６    第６レンズ群
Ｇ７    第７レンズ群
Ｓ      開口絞り
Ｆ      フィルター
Ｉ      像面
【図１】
2019032353.tif 000004
【図２】
2019032353.tif 000005
【図３】
2019032353.tif 000006
【図４】
2019032353.tif 000007
【図５】
2019032353.tif 000008
【図６】
2019032353.tif 000009
【図７】
2019032353.tif 000010
【図８】
2019032353.tif 000011
【図９】
2019032353.tif 000012
【図１０】
2019032353.tif 000013
【図１１】
2019032353.tif 000014
【図１２】
2019032353.tif 000015
【図１３】
2019032353.tif 000016
【図１４】
2019032353.tif 000017
【図１５】
2019032353.tif 000018
【図１６】
2019032353.tif 000019
【図１７】
2019032353.tif 000020
【図１８】
2019032353.tif 000021
【図１９】
2019032353.tif 000022
【図２０】
2019032353.tif 000023
【図２１】
2019032353.tif 000024
【図２２】
2019032353.tif 000025
【図２３】
2019032353.tif 000026
【図２４】
2019032353.tif 000027
【図２５】
2019032353.tif 000028
【図２６】
2019032353.tif 000029
【図２７】
2019032353.tif 000030
【図２８】
2019032353.tif 000031
【図２９】
2019032353.tif 000032
【図３０】
2019032353.tif 000033
【図３１】
2019032353.tif 000034
【図３２】
2019032353.tif 000035
【図３３】
2019032353.tif 000036
【図３４】
2019032353.tif 000037
【図３５】
2019032353.tif 000038
【図３６】
2019032353.tif 000039
【図３７】
2019032353.tif 000040
【図３８】
2019032353.tif 000041
【図３９】
2019032353.tif 000042
【図４０】
2019032353.tif 000043
【図４１】
2019032353.tif 000044
【図４２】
2019032353.tif 000045
【図４３】
2019032353.tif 000046
【図４４】
2019032353.tif 000047
【図４５】
2019032353.tif 000048
【図４６】
2019032353.tif 000049
【図４７】
2019032353.tif 000050
【図４８】
2019032353.tif 000051
【図４９】
2019032353.tif 000052
【図５０】
2019032353.tif 000053
【図５１】
2019032353.tif 000054
【図５２】
2019032353.tif 000055
【図５３】
2019032353.tif 000056
【図５４】
2019032353.tif 000057
【図５５】
2019032353.tif 000058
【図５６】
2019032353.tif 000059
【図５７】
2019032353.tif 000060
【図５８】
2019032353.tif 000061
【図５９】
2019032353.tif 000062
【図６０】
2019032353.tif 000063